(57)【要約】【課題】飲食中にスプーンやフォーク等の飲食補助具をソーサ等の食器から手に取り、また戻すという作業が行い易く、飲食の最中に飲食物等により食器を汚くすることなく、食器の装飾を楽しめることを可能にした飲食補助具置きを提供する。【解決手段】スプーン置き１は、ソーサ周縁部Ｂａに着脱自在に取り付け可能な取付け部２と、取付け部２に連設されるとともに、スプーンＣの掬い部Ｃｂが載置される載置部３とを備え、載置部３は、スプーンＣから落ちるコーヒー等の雫を受ける皿状に形成され、取付け部２をソーサ周縁部Ｂａに取り付けた際、載置部３はソーサＢに対して略水平に設置される。これによれば、スプーンＣの掬い部Ｃｂを載置部３に載せるという、スプーンＣをソーサＢに載せるのと変わらない簡単な動作で、スプーンＣのソーサ内での滑りを防止することができ、飲食中にスプーンＣを手に取ったり戻したりする作業が容易且つ自然に行うことができる。【選択図】図２
0003122907.tif 000002
【実用新案登録請求の範囲】
【請求項１】
皿、椀、カップ等の食器の周縁部に着脱自在に取り付け可能な取付け部と、
前記取付け部に連設されるとともに、スプーンやフォーク等の飲食補助具の柄の先端に設けられた食品保持部が載置される載置部とを備え、
前記載置部は、前記飲食補助具から落ちる食品を受ける皿状に形成され、
前記取付け部を前記食器の周縁部に取り付けた際、前記載置部は底が前記食器の底方向に向くように前記食器上に前記食器に対して略水平に設置されることを特徴とする飲食補助具置き。
【請求項２】
請求項１に記載の飲食補助具置きにおいて、
前記取付け部はフック状であり、前記食器の周縁部に引っ掛けて取り付けることを特徴とする飲食補助具置き。
【請求項３】
請求項１または２に記載の飲食補助具置きにおいて、
前記取付け部は手で自在に折り曲げ可能であり、前記食器の周縁部の形状に合わせて、前記取付け部の形状を自在に変更可能なことを特徴とする飲食補助具置き。
【請求項４】
請求項１に記載の飲食補助具置きにおいて、
前記取付け部は、バネ材を折り曲げて形成されたクリップであり、前記食器の周縁部に挟着することを特徴とする飲食補助具置き。
【請求項５】
請求項１ないし４のいずれか１つに記載の飲食補助具置きにおいて、
前記取付け部を前記食器から外した状態で接地して置く際、
前記載置部が、前記底を接地面側にして、接地面に対して略水平になるように自立可能としたことを特徴とする飲食補助具置き。
【請求項６】
請求項５に記載の飲食補助具置きにおいて、
少なくとも３点で接地することにより自立可能としたことを特徴とする飲食補助具置き。
【考案の詳細な説明】
【技術分野】
【０００１】
本考案は、皿、椀、カップ等の食器の縁に着脱自在に取り付け可能であるとともに、スプーンやフォーク等の飲食補助具の載置が可能な飲食補助具置きに関する。
【背景技術】
【０００２】
コーヒー等を飲食する際、ソーサの上にカップと共にスプーンを載せるのが通常である。具体的には、スプーンは、ソーサのカップ載置部に置かれたカップの脇に添え置かれる。
【０００３】
ソーサは、略中央のカップを置くカップ載置部が周縁部よりも下方になるように湾曲あるいは傾斜した形状をしている。スプーンは、カップの脇、すなわち、カップ載置部と周縁部との間に添え置かれる。
そのため、カップを持ち上げると、スプーンがカップ載置部に向かって滑り落ち、再びカップをソーサに置こうとする際、滑り落ちたスプーンが邪魔となることがあった。
【０００４】
そこで、スプーンが滑り落ちないように保持するため、ソーサ周縁部にクリップで取り付けられるスプーン保持具が開示されている。
特許文献１には、ソーサ周縁部に挟着するクリップと、スプーンを両側から保持する係止部材を備え、スプーンをその係止部材に挿入することにより保持するものが開示されている。また、特許文献２には、ソーサ周縁部に取り付けられるクリップと、丸棒状の柔軟性のある素材を曲げて形成されたスプーンの頭部と柄とを受ける受け部を備えるものが開示されている。
【０００５】
しかし、従来のスプーン保持具では、上記のように、スプーンを両側から保持したり、スプーンの頭部と柄の両方を保持させるものであり、コーヒー等を飲食中にスプーン等を手に取り、また戻すという作業が、スプーン保持具を使用しない場合と比較して複雑になる。
【０００６】
ところで、コーヒー等をかき混ぜた後のスプーンには、コーヒー等が付着するため、そのままソーサに置くと、ソーサにコーヒー等が付着し、ソーサが汚れる。ソーサとカップには通常、見て楽しむための絵や模様、装飾が施されているので、飲食の最中にもソーサをコーヒー等により汚くすることなく、飲食の最後まで装飾を楽しめることが理想である。
従来のスプーン保持具では、ソーサにコーヒー等が付着することを防止する工夫がされていなかった。
【特許文献１】特開２００２−２９１６０３号公報
【特許文献２】実用新案登録第３０３５０６０号公報
【考案の開示】
【考案が解決しようとする課題】
【０００７】
本考案は、上記の問題点を解決するためになされたものであり、飲食中にスプーンやフォーク等の飲食補助具をソーサ等の食器から手に取り、また戻すという作業が行い易く、飲食の最中に飲食物等により食器を汚くすることなく、食器の装飾を楽しめることを可能にした飲食補助具置きを提供する。
【課題を解決するための手段】
【０００８】
〔請求項１の手段〕
請求項１に記載の飲食補助具置きは、皿、椀、カップ等の食器の周縁部に着脱自在に取り付け可能な取付け部と、取付け部に連設されるとともに、スプーンやフォーク等の飲食補助具の柄の先端に設けられた食品保持部が載置される載置部とを備え、載置部は、飲食補助具から落ちる食品を受ける皿状に形成され、取付け部を食器の周縁部に取り付けた際、載置部は底が食器の底方向に向くように食器上に食器に対して略水平に設置されることを特徴とする。
【０００９】
これによれば、飲食補助具を載置部に載せることにより、飲食補助具が食器内で滑ることはない。また、飲食補助具の食品保持部を載置部に載せるという、飲食補助具を食器に載せるのと変わらない簡単な動作で、飲食補助具の食器内での滑りを防止することができ、飲食中に飲食補助具を手に取ったり戻したりする作業が容易且つ自然に行うことができる。
また、載置部は、飲食補助具から落ちる食品を受ける皿状に形成されているため、飲食補助具に付着した食品が食器を汚すことなく、食器に施された装飾を楽しみながら飲食することができる。
【００１０】
〔請求項２の手段〕
請求項２に記載の飲食補助具置きは、取付け部はフック状であり、食器の周縁部に引っ掛けて取り付けることを特徴とする。
これにより、容易に食器の周縁部に飲食補助具置きを取り付けることができる。
【００１１】
〔請求項３の手段〕
請求項３に記載の飲食補助具置きは、取付け部は手で自在に折り曲げ可能であり、食器の周縁部の形状に合わせて、取付け部の形状を自在に変更可能なことを特徴とする。
これにより、使用者が自由に取付け部の形状を変えることができ、どんな形状の食器に対しても、簡単に取り付けることができる。
【００１２】
〔請求項４の手段〕
請求項４に記載の飲食補助具置きは、取付け部は、バネ材を折り曲げて形成されたクリップであり、食器の周縁部に挟着することを特徴とする。
これにより、飲食補助具置きは、食器の周縁部により確実に取り付けられる。
【００１３】
〔請求項５の手段〕
請求項５に記載の飲食補助具置きでは、取付け部を食器から外した状態で接地して置く際、載置部が、底を接地面側にして、接地面に対して略水平になるように自立可能としたことを特徴とする。
飲食補助具置きを食器から外した状態でも自立可能であるため、食器の外でテーブル等において使用することができる。そして、飲食補助具に付着した食品がテーブル等に落ちることもない。
【００１４】
〔請求項６の手段〕
請求項６に記載の飲食補助具置きは、少なくとも３点で接地することにより自立可能としたことを特徴とする。
３点接地の構成にすることにより、安定して自立することができる。
【考案を実施するための最良の形態】
【００１５】
最良の形態１の飲食補助具置きは、皿、椀、カップ等の食器の周縁部に着脱自在に取り付け可能な取付け部と、取付け部に連設されるとともに、スプーンやフォーク等の飲食補助具の柄の先端に設けられた食品保持部が載置される載置部とを備え、載置部は、飲食補助具から落ちる食品を受ける皿状に形成され、取付け部を食器の周縁部に取り付けた際、載置部は底が食器の底方向に向くように食器上に食器に対して略水平に設置されることを特徴とする。取付け部はフック状であり、食器の周縁部に引っ掛けて取り付けることを特徴とする。
【００１６】
最良の形態２の飲食補助具置きは、取付け部は手で自在に折り曲げ可能であり、食器の周縁部の形状に合わせて、取付け部の形状を自在に変更可能なことを特徴とする。
【００１７】
最良の形態３の飲食補助具置きは、取付け部を前記食器から外した状態で接地して置く際、載置部が、底を接地面側にして、接地面に対して略水平になるように自立可能としたことを特徴とし、少なくとも３点で接地することにより自立可能としたことを特徴とする。
【実施例１】
【００１８】
〔実施例１の構成〕
図１および図２は、実施例１を示したものである。
本実施例では、飲食補助具置きは、スプーン置き１であり、コーヒー等（食品）を入れるためのカップＡを載置するソーサ（食器）Ｂに取付けられるとともに、スプーン（飲食補助具）Ｃが載置されるものである。図１は、スプーン置き１の斜視図であり、図２（ａ）は、スプーン置き１の使用状態を示す斜視図、図２（ｂ）は、スプーン置き１のソーサＢへの取付け状態を示す図である。
【００１９】
スプーン置き１は、ソーサＢの周縁部（以下、ソーサ周縁部）Ｂａに着脱自在に取り付け可能な取付け部２と、取付け部２に連設されるとともに、スプーンＣの柄Ｃａの先端に設けられた掬い部（食品保持部）Ｃｂが載置される載置部３とを備える。
【００２０】
本実施例では、取付け部２と載置部３とは同じ金属材料にて一体的に形成されている。
取付け部２は、フック状に形成されており、後に詳述する載置部３の一端から延設された上片２１と、上片２１からＵ字状に屈曲して形成された下片２２からなる。
上片２１と下片２２との間の距離は、取り付けるソーサ周縁部Ｂａの厚さよりも僅かに大きくなっており、取付け部２は、ソーサ周縁部Ｂａの厚さ方向の両側に上片２１と下片２２とがくるようにソーサ周縁部Ｂａに引っ掛けて取り付けられる（図２（ｂ）参照）。
【００２１】
載置部３は、皿状に形成されている。具体的には、中心部の底３１から開口周縁部３２に向かって湾曲してせり上がった形状をしており、底３１が下片２２側、開口周縁部３２が上片２１側となる皿状に形成されている。そして、本実施例では、載置部３の一端から取付け部２の上片２１が延設されている。
また、本実施例では、載置部３は、他端（上片２１が延設されていない側）が少しすぼんだ楕円形状（略卵形）であり、載置部３の大きさは、コーヒー等を飲食するために用いる一般的なスプーンＣの大きさに応じた大きさとなっており、皿状の載置部３の深さは、掬い部Ｃｂと同程度の深さとなっている。
【００２２】
載置部３の水平方向（図２（ｂ）左右方向）と上片２１との角度は、ソーサ周縁部Ｂａからカップ載置部Ｂｂとの間の傾斜角度と略同じであり、取付け部２をソーサ周縁部Ｂａに引っ掛けると、載置部３は、底３１がソーサＢの底方向（図２（ｂ）下方向）に向くようにソーサＢ上にソーサＢに対して略水平に設置される。
【００２３】
また、取付け部２をソーサ周縁部Ｂａに引っ掛けた際、載置部３が、カップＣが置かれるソーサＢのカップ載置部Ｂｂにまで達しないように、取付け部２及び載置部３の寸法が設定されている。
【００２４】
〔実施例１の作用〕
ソーサ周縁部Ｂａに取付け部２を引っ掛け、ソーサＢにスプーン置き１を取り付ける。載置部３は、底３１をソーサＢの底側にしてソーサＢ上に略水平に設置される。
そして、スプーンＣの掬い部Ｃｂが載置部３に載置されるようにソーサＢ上のカップＡの脇にスプーンＣを添え置く（図２（ａ）参照）。
【００２５】
カップＡに入ったコーヒー等に砂糖等を投入し、スプーンＣを用いて撹拌する。
そして、使用後のスプーンＣを再び、掬い部Ｃｂが載置部３に載置されるようにソーサＢ上のカップＡの脇にスプーンＣを添え置く。この際、スプーンＣに付着したコーヒー等の雫を載置部３が受ける。
【００２６】
その後、コーヒー等を飲むためカップＡを持ち上げる。
この際、スプーンＣの掬い部ＣｂがソーサＢに対して略水平に設置された載置部３に載置されているため、スプーンＣがソーサ周縁部Ｂａからカップ載置部Ｂｂとの間の傾斜に沿って滑り、カップ載置部Ｂｂにまで滑り落ちることはない。
【００２７】
〔実施例１の効果〕
これによれば、スプーンＣの掬い部Ｃｂを載置部３に載せるという、スプーンＣをソーサＢに載せるのと変わらない簡単な動作で、スプーンＣのソーサ内での滑り落ちを防止することができ、飲食中にスプーンＣを手に取ったり戻したりする作業が容易且つ自然に行うことができる。
【００２８】
また、使用後のスプーンＣを、掬い部Ｃｂが載置部３に載置されるようにスプーンＣを置くことにより、スプーンＣに付着したコーヒー等の雫を載置部３が受ける。これにより、スプーンＣに付着したコーヒー等の雫が、ソーサＢに落ちることはなく、ソーサＢがコーヒー等の雫だれにより汚れることはない。そのため、ソーサＢに施された装飾を汚すことなく、装飾を楽しみながら飲食することができる。
また、本実施例の取付け部２はフック状であり、取付け部２をソーサ周縁部Ｂａに引っ掛けるだけで、ソーサＢにスプーン置き１を取り付けることができるため、バネ性を有するクリップで挟んで取り付けるのと比較して、手軽に容易に取り付けることができる。
【実施例２】
【００２９】
〔実施例２の構成〕
図３は、実施例２を示したものである。
本実施例では、取付け部２は、手で自在に折り曲げ可能である。
実施例１に記載のように全体が金属で形成されたスプーン置き１であれば、取付け部２の厚み又は幅を小さくすることにより、又は取付け部２を部分的に焼きなましして取付け部２を柔軟にすることにより、又は、これらの方法を併用することにより、折り曲げ可能に構成することができる。
【００３０】
ソーサＢの形状には様々なものがあり、例えば、図３（ａ）に示すように、カップ載置部Ｂｂからソーサ周縁部Ｂａに向かって湾曲してせり上がった形状のものや、図３（ｂ）に示すようにカップ載置部Ｂｂからソーサ周縁部Ｂａに向かって傾斜してせり上がった後、水平に形成された形状のもの等ある。もし、図３（ａ）のような形状のソーサ周縁部Ｂａに合う取付け部２を、図３（ｂ）のような形状のソーサ周縁部Ｂａに取り付けると、載置部３が傾いて設置されてしまう。
【００３１】
しかし、本実施例では、取付け部２は、手で自在に折り曲げ可能であるため、ソーサ周縁部Ｂａの形状に合わせて、取付け部２の形状を自在に変更可能であるため、使用者がソーサＢに合わせて自由に取付け部２の形状を変えることができ、どんな形状のソーサＢに対しても、簡単に取り付けることができる。
【実施例３】
【００３２】
〔実施例３の構成〕
図４及び図５は、実施例３を示したものである。
本実施例では、取付け部２をソーサＢから外した状態で接地する際、載置部３が、底３１を接地面側にして、接地面に対して略水平になるように自立可能となっている。
【００３３】
具体的には、スプーン置き１は、図４（ａ）〜（ｄ）に示すように、取付け部２の下片２２の先に脚部４が設けられて、脚部４のみ又は、脚部４と載置部３の底３１の両方が、接地面に当接して、自立する。
例えば、図４（ａ）の脚部４は、取付け部２の下片２２が二股に分かれた二股脚部４Ａであり、二股脚部４Ａの各先端と、載置部３の底３１との３点が接地面（例えばテーブルＤ）に当接し、安定して接地する。この際、脚部４の高さは、載置部３の底３１が接地した際に、接地面に対して水平となるように設定されている。
【００３４】
また、図４（ｂ）の脚部４は、下片２２から反上片２１側へ折り曲げた屈曲脚部４Ｂであり、屈曲脚部４Ｂと接地面とが面接触するように屈曲脚部４Ｂの接地部分を平面にし、屈曲脚部４Ｂと接地面との面接触と、載置部３の底３１の接地面への当接により、スプーン置き１が接地される。
【００３５】
また、図４（ｃ）の脚部４は、下片２２の先を接地面に這わせるようにコ状や三角状に折り曲げることによって形成された折曲げ脚部４Ｃであり、折曲げ脚部４Ｃと載置部３の底３１とが接地面に当接し、安定して接地する。この態様は、取付け部２が細い線材などで形成されている場合に特に有用である。
【００３６】
そして、図４（ｄ）の脚部４は、下片２２の先に設けられるとともに、載置部３の下方で接地面に当接する独立脚部４Ｄである。独立脚部４Ｄのみが載置部３の下方で接地面に当接し、載置部３は接地面に当接せず接地面から浮いた状態でスプーン置き１が接地される。図４（ｄ）では、下片２２の先に独立脚部４Ｄが円環状に折り曲げられて設けられている。
【００３７】
また、脚部４によらず、図４（ｅ）のように、載置部３の底３１を平らに形成し、載置部３が接地面と面接触にて当接し、自立できるようにしてもよい。
【００３８】
これによれば、スプーン置き１は、ソーサＢから外した状態でも載置部３を水平にして自立可能であるため、ソーサＢに取り付けての使用だけでなく、テーブルＤに置いての使用もすることができる（図５参照）。それで、使用者は、ソーサＢの外側にスプーンＣを置いておきたい場合には、スプーン置き１をテーブルＤに置いて、そのスプーン置き１にスプーンＣを載置するといった用い方ができる。また、スプーンＣに付着したコーヒー等の雫を載置部３が受けるため、スプーンＣに付着したコーヒー等の雫が、テーブルＤに落ちることはなく、テーブルクロスＥやテーブルＤがコーヒー等の雫だれにより汚れることはない。
【００３９】
〔変形例〕
また、実施例１では、取付け部２は、フック状に形成されており、載置部３の一端から延設された上片２１と、上片２１からＵ字状に屈曲して形成された下片２２からなるものであったが、フック状で、ソーサ周縁部Ｂａに引っ掛けて取り付けることが可能であれば、本実施例の形状に限らない。
また、実施例１のように、取付け部２がフック状で、ソーサ周縁部Ｂａに引っ掛けて取り付ける構成に限らず、取付け部２は、バネ材を折り曲げて形成されたクリップであり、ソーサ周縁部Ｂａに挟着する構成であってもよい。
【００４０】
また、実施例１ないし３では、載置部３の一端から上片２１が延設されることにより、取付け部２と載置部３とは一体的に形成されていたが、載置部３の一端から上片２１が延設されるのではなく、取付け部２と載置部３とが別々に形成されて、載置部３の底３１等に取付け部２の上片２１を固着したものでもよい。
そして、実施例１ないし３では、スプーン置き１は同じ金属にて形成されていたが、金属に限らず、陶磁器、樹脂などにより形成されていてもよい。また、取付け部２と載置部３とが異なる材料にて形成されていてもよい。例えば、載置部３を陶磁器にて形成し、取付け部２を金属にて形成してもよい。
【００４１】
そして、実施例１ないし３では、載置部３の形状は略卵型をしていたが、花型（図６参照）、昆虫型、動物型、葉っぱ型など、様々な形状であってよい。このように、様々な形状であれば、スプーン置き１自体が装飾品のようになり、その装飾を楽しむことができる。
【００４２】
また、皿状に形成した載置部３のスプーンＣを載置する側に、吸湿材を設けて、スプーンＣに付着したコーヒー等の雫を載置部３が受ける作用をさらに高めるものであってもよい。
また、飲食補助具置きは、ラーメン等の丼に取り付けられるレンゲ置きや、スープ皿に取り付けられるスープスプーン置きや、デザート皿に取り付けられるフォーク置き等でもよく、実施例１ないし３で示したソーサＢに取り付けられるスプーン置き１には限られない。
【図面の簡単な説明】
【００４３】
【図１】スプーン置きの斜視図である（実施例１）。
【図２】（ａ）は、スプーン置きの使用状態を示す斜視図であり、（ｂ）は、スプーン置きのソーサへの取付け状態を示した部分断面図である（実施例１）。
【図３】（ａ）、（ｂ）は、スプーン置きのソーサへの取付け状態を示した部分断面図である（実施例２）。
【図４】（ａ）、（ｂ）、（ｃ）、（ｄ）、（ｅ）は、スプーン置きの斜視図である（実施例３）。
【図５】スプーン置きをテーブルに置いて使用している使用図である（実施例３）。
【図６】スプーン置きの斜視図である（変形例）。
【符号の説明】
【００４４】
１  スプーン置き（飲食補助具置き）
２  取付け部
３  載置部
３１  底
Ｂ  ソーサ（食器）
Ｂａ  ソーサ周縁部（食器の周縁部）
Ｃ  スプーン（飲食補助具）
Ｃａ  柄
Ｃｂ  掬い部（食品保持部）
Ｄ  テーブル（接地面）
【図１】
0003122907.tif 000003
【図２】
0003122907.tif 000004
【図３】
0003122907.tif 000005
【図４】
0003122907.tif 000006
【図５】
0003122907.tif 000007
【図６】
0003122907.tif 000008